(57)【要約】【課題】  異なる取り付け方法で保持物体を取り付け可能なスライドレールアセンブリを提供すること。【解決手段】  スライドレールアセンブリは第１のレール、第２のレール、第３のレール及び係合部材を含む。第１のレールは解除部位を含む。第２のレールは第１のレールに対して可動である。第３のレールは第２のレールに対して可動である。係合部材は第２のレールに枢結される。係合部材は、第２のレールと第３のレールとが第１のレールに対して第１の方向に沿って同期的に移動できるように第３のレールに係合するように構成され、解除部位は、第２のレールが第３のレールと第１のレールに対して同期的に所定の位置に移動した場合に係合部材を第３のレールから外すように構成されている。【選択図】  図１
2018057812.tif 000002
【特許請求の範囲】
【請求項１】
解除部位を含む第１のレールと、
前記第１のレールに対して可動な第２のレールと、
前記第２のレールに対して可動な第３のレールと、
前記第２のレールに枢結される係合部材と、
を含むスライドレールアセンブリであって、
前記係合部材は、前記第２のレールと前記第３のレールとが前記第１のレールに対して第１の方向に沿って同期的に移動できるように前記第３のレールに係合するように構成され、
前記解除部位は、前記第２のレールが前記第３のレールと前記第１のレールに対して同期的に所定の位置に移動した場合に前記係合部材を前記第３のレールから外すように構成されている、スライドレールアセンブリ。
【請求項２】
前記第３のレールが前記第２のレールに対して前記第１の方向に沿って後退位置から第１の所定の位置に動かされた場合に、前記係合部材は前記第２のレールと前記第３のレールとが前記第１のレールに対して前記第１の方向に沿って同期的に移動できるように前記第３のレールに係合するように構成され、
前記第２のレールが前記第３のレールと前記第１のレールに対して前記第１の方向に沿って同期的に第２の所定の位置に動かされた場合に、前記解除部位は、前記第３のレールが前記第２のレールに対して前記第１の方向に沿って伸長位置に移動できるように前記係合部材を前記第３のレールから外すように構成されている、請求項１に記載のスライドレールアセンブリ。
【請求項３】
前記スライドレールアセンブリは前記係合部材に弾性力を提供するように構成された弾性部材をさらに含み、
前記第３のレールは第１の壁部と、第２の壁部と、該第１の壁部及び該第２の壁部に連結される側壁とを含み、
前記第３のレールが前記第２のレールに対して前記後退位置に位置している場合、前記係合部材は前記弾性部材の弾性力に反応して第１の状態で保持されるように前記第１の壁部と当接する、請求項２に記載のスライドレールアセンブリ。
【請求項４】
前記第３のレールは開口と、該開口に隣接するレール壁とを有し、
前記係合部材は係合部を含み、
前記第３のレールが前記第２のレールに対して前記第１の所定の位置に位置している場合、前記係合部材は、前記係合部が前記開口に入って前記レール壁に対応するように、前記弾性部材の弾性力に反応して前記第２のレールに対して前記第１の状態から第２の状態に回転される、請求項３に記載のスライドレールアセンブリ。
【請求項５】
前記第２のレールは前記第１のレールの方を向いた貫通孔を有し、
前記係合部材は前記貫通孔を貫通する伸長部を有し、
前記解除部位は第１のガイド部を含み、
前記第２のレールが前記第３のレールと前記第１の方向に沿って前記第２の所定の位置に同期的に移動する場合に、前記係合部材は、第２の状態でなくなるように前記伸長部を通じて前記第１のガイド部によってガイドされて前記係合部材が前記第３のレールから外れるようし、
前記第１のガイド部は傾斜面又は弧面を有する、請求項２に記載のスライドレールアセンブリ。
【請求項６】
前記解除部位はブロック部をさらに含み、
前記第２のレールが前記第１のレールに対して前記第２の所定の位置から第３の所定の位置に前記第１の方向と反対の第２の方向に沿って動かされると、前記係合部材の伸長部は前記第２のレールが前記第１のレールに対して前記第２の方向に沿って動くのを防止するために前記ブロック部によってブロックされる、請求項５に記載のスライドレールアセンブリ。
【請求項７】
前記第３のレールを前記第２のレールに対して前記第２の方向に沿って前記伸長位置から動かすプロセスの間、前記第３のレールは前記係合部材の伸長部が前記ブロック部にブロックされなくなるよう動かすために前記係合部材を駆動するように構成されている、請求項６に記載のスライドレールアセンブリ。
【請求項８】
前記解除部位は第２のガイド部及び直線部をさらに含み、
前記ブロック部及び前記直線部は前記第１のガイド部と前記第２のガイド部との間に位置し、前記ブロック部は前記第１のガイド部と前記直線部との間に位置する壁を有し、前記第２のガイド部は傾斜面又は弧面を有する、請求項６に記載のスライドレールアセンブリ。
【請求項９】
前記第３のレールは互いに離間した複数の取り付け孔を含み、
前記第３のレールは前記取り付け孔の垂直孔部及び長手孔部を定義する伸長部位を含み、前記長手孔部は前記垂直孔部と連通する、請求項１に記載のスライドレールアセンブリ。
【請求項１０】
前記第２のレールと前記第３のレールとの間に配置される摺動補助装置をさらに含み、
前記摺動補助装置は保持ベースと、該保持ベースに配置される複数の回転部材とを含み、
前記複数の回転部材は前記第２のレール及び前記第３のレールと回転接触する、請求項１に記載のスライドレールアセンブリ。
【請求項１１】
前記第３のレールに取り付けられる第１の操作部品をさらに含み、
前記第１の操作部品は第１の動作状態と第２の動作状態との間で作動的に切り替えられるように構成され、
前記第２のレールはブロック部分を有するブロック部位を含み、
前記係合部材が前記解除部位によって前記第３のレールから外されて、前記第３のレールが前記第２のレールに対して前記第１の方向に沿って伸長位置に動かされた場合に、前記第１の操作部品は第１の動作状態で前記ブロック部位のブロック部分の第１の側と当接するように構成されている、請求項１０に記載のスライドレールアセンブリ。
【請求項１２】
前記第２のレールは第１の開口を有し、前記摺動補助装置は第２の開口を有し、
前記第３のレールが前記伸長位置に位置している場合、前記第１の開口と、前記第２の開口と、前記第３のレールの取り付け孔のうちの１つとが互いに連通し、
前記第１の操作部品が前記第１の動作状態から前記第２の動作状態に作動的に切り替えられると、前記第３のレールは前記第２のレールから前記第１の方向に沿って取り外すことができる、請求項１１に記載のスライドレールアセンブリ。
【請求項１３】
中間レールと、
前記中間レールに対して可動な内側レールであって、該内側レールは第１の壁部と、第２の壁部と、該第１の壁部及び該第２の壁部の間に連結される側壁とを含み、該内側レールの第１の壁部及び第２の壁部のうちの少なくとも一方は溝を備える、内側レールと、
前記内側レールの溝内に部分的に位置する一方側を有する第１の操作ロッドと、
を含むスライドレールアセンブリ。
【請求項１４】
前記中間レールはブロック部位を含み、該ブロック部位はブロック部分を含み、
前記内側レールの側壁には突起部が配置され、該突起部は前記第１の操作ロッドの他方側に当接するように構成され、
前記スライドレールアセンブリは前記内側レールに取り付けられる第１の操作部品をさらに含み、
前記第１の操作ロッドは第１の動作状態及び第２の動作状態との間で作動的に切り替えられるように構成され、
前記内側レールが前記中間レールに対して伸長位置に位置している場合に、前記第１の操作部品は第１の動作状態で前記ブロック部位のブロック部分の一方側と当接するように構成され、
前記内側レールは前記第１の操作部品が前記第２の動作状態にある場合に前記中間レールから取り外すことができる、請求項１３に記載のスライドレールアセンブリ。
【請求項１５】
前記内側レールの第１の壁部及び第２の壁部の双方はそれぞれ溝を備え、該溝のそれぞれは前記側壁に隣接し、
前記スライドレールアセンブリは第２の操作ロッドをさらに含み、該第２の操作ロッドの少なくとも一方側は前記内側レールの溝内に部分的に位置する、請求項１３に記載のスライドレールアセンブリ。
【請求項１６】
シャーシを取り付けるように構成されたスライドレールアセンブリであって、当該スライドレールアセンブリは、
第１のレールと、
前記第１のレールに対して可動であるとともに第１の開口を有する第２のレールと、
前記第２のレールに取り外し可能に連結される第３のレールであって、それぞれが垂直孔部を有する複数の取り付け孔を有する、第３のレールと、
を含み、
前記第３のレールが前記第２のレールに対して伸長位置に位置している場合、前記第２のレールの第１の開口及び前記第３のレールの複数の取り付け孔の垂直孔部は前記シャーシを取り付けるように構成されている、スライドレールアセンブリ。
【請求項１７】
前記第１のレールは解除部位を含み、
前記スライドレールアセンブリは前記第２のレールに取り付けられる係合部材をさらに含み、
前記第３のレールが前記第２のレールに対して第１の方向に沿って後退位置から第１の所定の位置に動かされた場合に、前記係合部材は前記第２のレールと前記第３のレールとが前記第１のレールに対して前記第１の方向に沿って同期的に移動できるように前記第３のレールに係合するように構成され、
前記第２のレールが前記第３のレールと前記第１のレールに対して前記第１の方向に沿って同期的に第２の所定の位置に動かされた場合に、前記解除部位は、前記第３のレールが前記第２のレールに対して前記第１の方向に沿って前記伸長位置に移動できるように前記係合部材を前記第３のレールから外すように構成されている、請求項１６に記載のスライドレールアセンブリ。
【請求項１８】
前記係合部材は前記第２のレールに枢結され、
前記スライドレールアセンブリは前記係合部材に弾性力を提供するように構成された弾性部材をさらに含み、
前記第３のレールは第１の壁部と、第２の壁部と、該第１の壁部及び該第２の壁部の間に連結される側壁とを含み、
前記第３のレールが前記第２のレールに対して前記後退位置に位置している場合に、前記係合部材は前記弾性部材の弾性力に反応して第１の状態で保持されるように前記第１の壁部と当接するように構成されている、請求項１７に記載のスライドレールアセンブリ。
【請求項１９】
前記第３のレールは開口と、該開口に隣接するレール壁とを有し、
前記係合部材は係合部を含み、
前記第３のレールが前記第２のレールに対して前記第１の所定の位置に位置している場合、前記係合部材は、前記係合部が前記開口に入って前記レール壁に対応するように、前記弾性部材の弾性力に反応して前記第２のレールに対して前記第１の状態から第２の状態に回転される、請求項１８に記載のスライドレールアセンブリ。
【請求項２０】
前記第２のレールは前記第１のレールの方を向いた貫通孔を有し、
前記係合部材は前記貫通孔を貫通する伸長部を含み、
前記解除部位は第１のガイド部を含み、
前記第２のレールが前記第３のレールと前記第１の方向に沿って前記第２の所定の位置に同期的に移動する場合に、前記係合部材は前記第３のレールから外れるように前記伸長部を通じて前記第１のガイド部によってガイドされ、
前記第１のガイド部は傾斜面又は弧面を有する、請求項１７に記載のスライドレールアセンブリ。
【請求項２１】
前記解除部位はブロック部をさらに含み、
前記第２のレールが前記第１のレールに対して前記第２の所定の位置から第３の所定の位置に前記第１の方向と反対の第２の方向に沿って動かされると、前記係合部材の伸長部は前記第２のレールが前記第１のレールに対して前記第２の方向に沿って動くのを防止するために前記ブロック部によってブロックされる、請求項２０に記載のスライドレールアセンブリ。
【請求項２２】
前記第３のレールを前記第２のレールに対して前記第２の方向に沿って前記伸長位置から動かすプロセスの間、前記第３のレールは前記係合部材の伸長部が前記ブロック部にブロックされなくなるよう動かすために前記係合部材を駆動するように構成されている、請求項２１に記載のスライドレールアセンブリ。
【請求項２３】
前記解除部位は第２のガイド部及び直線部をさらに含み、
前記ブロック部及び前記直線部は前記第１のガイド部と前記第２のガイド部との間に位置し、前記ブロック部は前記第１のガイド部と前記直線部との間に位置する壁を有し、前記第２のガイド部は傾斜面又は弧面を有する、請求項２１に記載のスライドレールアセンブリ。
【請求項２４】
前記第３のレールに取り付けられる操作部品をさらに含み、
前記操作部品は第１の動作状態と第２の動作状態との間で作動的に切り替えられるように構成され、
前記第２のレールはブロック部分を有するブロック部位を含み、
前記第３のレールが前記伸長位置に位置している場合に、前記操作部品は前記第１の動作状態で前記ブロック部位のブロック部分の一方側と当接するように構成され、
前記操作部品が前記第１の動作状態から前記第２の動作状態に作動的に切り替えられると、前記第３のレールは前記第２のレールから第１の方向に沿って取り外すことができる、請求項１６に記載のスライドレールアセンブリ。
【請求項２５】
第１のレールと、
前記第１のレールに対して可動であるとともに第１の開口を有する第２のレールと、
前記第２のレールに対して可動であるとともに複数の取り付け孔を有する第３のレールと、
前記第２のレールと前記第３のレールとの間に配置されるとともに、第２の開口を有する摺動補助装置と、
を含むスライドレールアセンブリであって、
前記第３のレールが前記第２のレールに対して伸長位置に位置している場合、前記第１の開口と、前記第２の開口と、前記第３のレールの複数の取り付け孔のうちの１つとが互いに連通する、スライドレールアセンブリ。
【請求項２６】
前記第１のレールは解除部位を含み、
前記スライドレールアセンブリは前記第２のレールに枢結される係合部材をさらに含み、
前記係合部材は前記第３のレールに係合するように構成され、
前記係合部材が前記第３のレールに係合した場合に、前記第２のレールと前記第３のレールとは前記第１のレールに対して第１の方向に沿って同期的に移動するように構成され、
前記第２のレールが前記第１のレールに対して所定の位置に移動した場合に、前記解除部位は前記係合部材を前記第３のレールから外すように構成されている、請求項２５に記載のスライドレールアセンブリ。
【請求項２７】
前記係合部材に弾性力を提供するように構成された弾性部材をさらに含み、
前記第３のレールは第１の壁部と、第２の壁部と、該第１の壁部及び該第２の壁部に連結される側壁とを含み、
前記第３のレールが前記第２のレールに対して後退位置に位置している場合、前記係合部材は前記弾性部材の弾性力に反応して第１の状態で保持されるように前記第１の壁部と当接するとうに構成されている、請求項２６に記載のスライドレールアセンブリ。
【請求項２８】
前記第３のレールは開口と、該開口に隣接するレール壁とを有し、
前記係合部材は係合部を含み、
前記第３のレールが前記第２のレールに対して前記第１の方向に沿って前記後退位置からある位置に動かされると、前記係合部材は、前記係合部材が前記第３のレールに係合するために、前記係合部が前記開口に入って前記レール壁に対応するように前記弾性部材の弾性力に反応して前記第１の状態から第２の状態に回転される、請求項２７に記載のスライドレールアセンブリ。
【請求項２９】
前記第２のレールは前記第１のレールの方を向いた貫通孔を有し、
前記係合部材は前記貫通孔を貫通する伸長部を有し、
前記解除部位は第１のガイド部を含み、
前記第２のレールが前記第３のレールと前記第１の方向に沿って前記所定の位置に同期的に移動する場合に、前記係合部材は、前記第２の状態でなくなるように前記伸長部を通じて前記第１のガイド部によってガイドされて前記係合部材が前記第３のレールから外れるようにする、請求項２８に記載のスライドレールアセンブリ。
【請求項３０】
前記解除部位は第２のガイド部、直線部及びブロック部をさらに含み、
前記ブロック部及び前記直線部は前記第１のガイド部と前記第２のガイド部との間に位置し、
前記第２のレールが前記第３のレールと前記第１の方向に沿って同期的に前記所定の位置に動かされる場合、前記係合部材の伸長部は前記第２のガイド部、前記直線部、前記ブロック部及び前記第１のガイド部に沿って動かされ、
前記第１のガイド部及び前記第２のガイド部のそれぞれは傾斜面又は弧面を有し、前記ブロック部は前記第１のガイド部と前記直線部との間に位置する壁を有し、
前記係合部材の伸長部は、前記第２のレールが前記第１のレールに対して前記第１の方向と反対の第２の方向に沿って動くのを防止するために前記ブロック部によってブロックされる、請求項２９に記載のスライドレールアセンブリ。
【発明の詳細な説明】
【技術分野】
【０００１】
本発明はスライドレールアセンブリに関し、より具体的には保持物体（carried  object）を取り付け可能なスライドレールアセンブリに関する。
【背景技術】
【０００２】
３部構成のスライドレールアセンブリ（three-section  slide  rail  assembly）は第１のレール、第２のレール及び第３のレールを含む。第２のレールは、第１のレールに対して第３のレールの移動距離を伸長するように構成され、第３のレールは通常保持物体を取り付けるように構成されている。
【０００３】
第３のレールが保持物体を保持して第２のレール及び第１のレールに対してある方向に沿って移動する場合、第３のレールが保持物体を保持するための強度は保持物体が重過ぎることによって十分でないことがあり、長期に亘る使用の間に第３のレールが変形するか又は破損することがある。
【０００４】
他方、特許文献１には保持物体（シャーシ等）をスライドレールアセンブリに取り付けるためのドロップイン取り付け方法（drop-in  mounting  method）が開示されている。この取り付け方法によれば、スライドレールアセンブリをラックから完全に引っ張り出し、次にシャーシをスライドレールアセンブリよりも高く持ち上げなければならない。その後、シャーシをスライドレールアセンブリに取り付けるために、シャーシの両側にある複数の取り付けポストがスライドレールアセンブリの複数の取り付け機構にそれぞれ整合されてさらに落とし込まれる（dropped  in）。前述の取り付け方法は限られた空間内でシャーシを取り付けるのに通常用いられ、スライドレールアセンブリのレールは互いに取り外すことができない。しかしながら、前述の取り付け方法にはいくつかの欠点がある。例えば、スライドレールアセンブリがラックの頂部位置の近くにある場合、シャーシをスライドレールアセンブリに取り付ける工程の間にシャーシをスライドレールアセンブリよりも高く持ち上げるのが不便である。
【０００５】
特許文献２には保持物体（シャーシ等）をスライドレールアセンブリに取り付けるための別の方法が開示されている。この取り付け方法によれば、スライドレールアセンブリのレール（例えば内側レール）は、該内側レールをシャーシの側部に取り付けるためにスライドレールアセンブリから引き出して取り外す必要がある。その後、シャーシは内側レールをスライドレールアセンブリに挿入することによりスライドレールアセンブリに取り付けられる。そのような取り付け方法には特許文献１の取り付け方法よりも大きなスペースが必要になり、小さな部屋には適用できない。特許文献２の取り付け方法の利点は、スライドレールアセンブリがラックの頂部位置の近くにある場合に、シャーシをスライドレールアセンブリよりも高く持ち上げることなく内側レールをスライドレールアセンブリに整合し挿入することによりシャーシをスライドレールアセンブリに取り付けることができる点である。
【先行技術文献】
【特許文献】
【０００６】
【特許文献１】米国特許第６９３８９６７号明細書
【特許文献２】米国特許第８６２２４９２号明細書
【発明の概要】
【発明が解決しようとする課題】
【０００７】
上記の２つの取り付け方法のそれぞれには欠点がある。本発明は双方の取り付け方法の利点を組み合わせてより多くの製品選択を業界に提供する。
【課題を解決するための手段】
【０００８】
本発明は保持物体を取り付けるように構成されたスライドレールアセンブリに関する。
【０００９】
本発明の一実施形態によれば、スライドレールアセンブリは第１のレール、第２のレール、第３のレール及び係合部材を含む。第１のレールは解除部位（releasing  feature）を含む。第２のレールは第１のレールに対して可動である。第３のレールは第２のレールに対して可動である。係合部材は第２のレールに枢結される。係合部材は、第２のレールと第３のレールとが第１のレールに対して第１の方向に沿って同期的に（synchronously）移動できるように第３のレールに係合するように構成され、解除部位は、第２のレールが第３のレールと第１のレールに対して同期的に所定の位置に移動した場合に係合部材を第３のレールから外すように構成されている。
【００１０】
本発明の別の実施形態によれば、スライドレールアセンブリは中間レール（middle  rail）、内側レール及び第１の操作ロッド（operating  rod）を含む。内側レールは中間レールに対して可動である。内側レールは第１の壁部と、第２の壁部と、該第１の壁部及び該第２の壁部の間に連結される側壁とを含む。内側レールの第１の壁部及び第２の壁部のうちの少なくとも一方は溝を備える。第１の操作ロッドは内側レールの溝内に部分的に位置する一方側を有する。
【００１１】
本発明の別の実施形態によれば、スライドレールアセンブリはシャーシを取り付けるように構成されている。スライドレールアセンブリは第１のレール、第２のレール及び第３のレールを含む。第２のレールは第１のレールに対して可動である。第２のレールは第１の開口を有する。第３のレールは取り外し可能に第２のレールに連結される。第３のレールは複数の取り付け孔を有し、各取り付け孔は垂直孔部（vertical  hole  portion）を有する。第３のレールが第２のレールに対して伸長位置に位置している場合、第２のレールの第１の開口及び第３のレールの複数の取り付け孔の垂直孔部はシャーシを取り付けるように構成されている。
【００１２】
本発明の別の実施形態によれば、スライドレールアセンブリは第１のレール、第２のレール、第３のレール及び摺動補助装置を含む。第２のレールは第１のレールに対して可動である。第２のレールは第１の開口を有する。第３のレールは第２のレールに対して可動である。第３のレールは複数の取り付け孔を有する。摺動補助装置は第２のレールと第３のレールとの間に配置される。摺動補助装置は第２の開口を有する。第３のレールが第２のレールに対して伸長位置に位置している場合、第１の開口と、第２の開口と、第３のレールの複数の取り付け孔のうちの１つとが互いに連通する。
【００１３】
様々な図面に図示する下記の好ましい実施形態の詳細な説明を読み終えた後、本発明の上記の目的及び他の目的が当業者に間違いなく明らかになる。
【図面の簡単な説明】
【００１４】
【図１】図１は、本発明の一実施形態に係る、保持物体をラックに取り付けるように構成されたスライドレールアセンブリを示す図である。
【図２】図２は、本発明の一実施形態に係る、第１のレール、第２のレール及び第３のレールを含むスライドレールアセンブリの分解図である。
【図３】図３は、図２の領域Ａの拡大図である。
【図４】図４は、図２の領域Ｂの拡大図である。
【図５】図５は、図２の領域Ｃの拡大図である。
【図６】図６は、本発明の一実施形態に係るスライドレールアセンブリの第３のレールを示す図である。
【図６Ａ】図６Ａは図６の領域Ａの拡大図である。
【図６Ｂ】図６Ｂは図６の領域Ｂの拡大図である。
【図７】図７は、本発明の一実施形態に係るスライドレールアセンブリの第３のレールの断面図である。
【図８】図８は、本発明の一実施形態に係る引っ込められた状態にあるスライドレールアセンブリを示す図である。
【図９】図９は、本発明の一実施形態に係る、第１のレールに対して第１の方向に沿って同期的に動かされるスライドレールアセンブリの第２のレール及び第３のレールを示す図である。
【図１０】図１０は、本発明の一実施形態に係る、解除部位に沿って動かされたスライドレールアセンブリの係合部材を示す図である。
【図１１】図１１は、図１０の領域Ａの拡大図である。
【図１２】図１２は、本発明の一実施形態に係る、第３のレールと同期的に動かないスライドレールアセンブリの第２のレールを示す図である。
【図１３】図１３は、図１２の領域Ａの拡大図である。
【図１４】図１４は、本発明の一実施形態に係る、ある状態で解除部位によってブロックされているスライドレールアセンブリの係合部材を示す図である。
【図１５】図１５は、図１４の領域Ａの拡大図である。
【図１６】図１６は、本発明の一実施形態に係る、第２のレールに対して第２の方向に沿って動かされて係合部材と接触するスライドレールアセンブリの第３のレールを示す図である。
【図１７】図１７は、本発明の一実施形態に係る、解除部材によってブロックされないように係合部材を駆動するように構成されたスライドレールアセンブリの第３のレールを示す図である。
【図１８】図１８は、図１７の領域Ａの拡大図である。
【図１９】図１９は、本発明の一実施形態に係る、第２のレールに対して引っ込められた状態にあるスライドレールアセンブリの第３のレールを示す図である。
【図２０】図２０は、本発明の一実施形態に係る、摺動補助装置を駆動して動かすために第２のレールに対して第１の方向に沿って動かされたスライドレールアセンブリの第３のレールを示す図である。
【図２１】図２１は、本発明の一実施形態に係る、摺動補助装置を駆動して動かすために第２のレールに対して第１の方向に沿って動かされたスライドレールアセンブリの第３のレールを示す図である。
【図２２】図２２は、本発明の一実施形態に係る、スライドレールアセンブリの第３のレールが第２のレールに対して第１の方向に沿ってある位置に動かされた場合に第１の操作部品をブロックするように構成されたブロック機構を示す図である。
【図２３】図２３は、本発明の一実施形態に係る、ブロック機構によってブロックされていない第１の操作部品を示す図である。
【図２４】図２４は、本発明の一実施形態に係る、第２のレールから取り外されたスライドレールアセンブリの第３のレールを示す図である。
【図２５】図２５は、本発明の一実施形態に係る、スライドレールアセンブリの第３のレールが前記位置に動かされた場合に第２の操作部品をブロックするように構成されたブロック機構を示す図である。
【図２６】図２６は、本発明の一実施形態に係る、ブロック機構によってブロックされていないスライドレールアセンブリの第２の操作部品を示す図である。
【図２７】図２７は、本発明の一実施形態に係る、伸長状態にあるスライドレールアセンブリと、保持物体を取り付けるように構成された第３のレールとを示す図である。
【図２８】図２８は、図２７の領域Ａの拡大図である。
【図２９】図２９は、本発明の一実施形態に係る、スライドレールアセンブリの第３のレールに取り付けられた保持物体を示す図である。
【図３０】図３０は、本発明の一実施形態に係る、第３のレールが第２のレールに取り付けられる状態で第３のレールに取り付けられた保持物体を示す図である。
【発明を実施するための形態】
【００１５】
図１に示すように、保持物体２０は一対のスライドレールアセンブリ２２を通じてラック２４に取り付けられる。保持物体２０は電気機器又はシャーシであり得る。ラック２４は一対の第１のポスト２６ａ及び一対の第２のポスト２６ｂを含む。各スライドレールアセンブリ２２の２つの部分は第１のブラケット装置３４及び第２のブラケット装置３６を通じてそれぞれ第１のポスト２６ａ及び第２のポスト２６ｂに取り付けられる。そのような構成は当業者に周知であるため、簡略化のために係る構成についてのさらなる説明は省略する。
【００１６】
図２に示すように、スライドレールアセンブリ２２は第１のレール２８、第２のレール３０及び第３のレール３２を含む。第１のレール２８は第１のブラケット装置３４及び第２のブラケット装置３６を備える。第１のレール２８は解除部位３８を含む。解除部位３８は第１のレール２８に取り付けられる追加の部品であってもよいし、解除部位３８は第１のレール２８と一体的に形成されてもよい。さらに、第１のレール２８は、第１の壁部４０ａと、第２の壁部４０ｂと、第１の壁部４０ａ及び第２の壁部４０ｂの間に連結される側壁４２とを含む。第１のレール２８の第１の壁部４０ａ、第２の壁部４０ｂ及び側壁４２によって第１の通路４３が定義されている。
【００１７】
本実施形態では、解除部位３８は第１のレール２８の側壁４２に配置されている。図３に示すように、解除部位３８は第１のガイド部４４、第２のガイド部４６、直線部４８及びブロック部５０を含むことが好ましい。ブロック部５０及び直線部４８は第１のガイド部４４と第２のガイド部４６との間に位置している。第１のガイド部４４及び第２のガイド部４６のそれぞれは傾斜面又は弧面を有することが好ましい。ブロック部５０は第１のガイド部４４と直線部４８との間に位置する壁を有する。ブロック部５０は直線部４８に対して凹んでいる。
【００１８】
第２のレール３０（又は中間レールともいう）は第１の通路４３内で第１のレール２８に可動に取り付けられる。具体的には、第２のレール３０は第１の壁部５２ａと、第２の壁部５２ｂと、第１の壁部５２ａ及び第２の壁部５２ｂの間に連結される側壁５４とを含む。第２のレール３０の第１の壁部５２ａ、第２の壁部５２ｂ及び側壁５４により第２の通路５５が定義されている。第２のレール３０の側壁５４は第１のレール２８の側壁４２の方を向いた貫通孔５６を有することが好ましい。第２のレール３０は貫通孔５６に隣接する支持壁５７を有する。加えて、第２のレール３０は第１の開口５９を有する。本実施形態では、第１の開口５９は第１の壁部５２ａに配置されている。さらに、スライドレールアセンブリ２２は第２のレール３０に可動に取り付けられる係合部材５８を含む。本実施形態では、係合部材５８は枢動部材６０により第２のレール３０の側壁５４に枢結され、係合部材５８は第２のレール３０の後端６１に隣接する。スライドレールアセンブリ２２は、係合部材５８に弾性力を提供するように構成された弾性部材６２をさらに含む。例えば、弾性部材６２は支持壁５７と係合部材５８との間に取り付けられる。図４に示すように、係合部材５８は係合部６４を含む。係合部材５８は伸長部６６及び係合解除部６８をさらに含む。伸長部６６は第２のレール３０の貫通孔５６に対応する位置に位置する。係合解除部６８は傾斜面又は弧面を有する。第２のレール３０はブロック部位（blocking  feature）７０を含むことが好ましい。本実施形態では、ブロック部位７０は側壁５４に配置されるともに第２のレール３０の前端７１に隣接する。ブロック部位７０は第２のレール３０に取り付けられる追加の部品であってもよいし、ブロック部位７０は第２のレール３０に一体的に形成されてもよい。さらに、図５に示すように、ブロック部位７０はブロック部分（blocking  section）７２を有する。ブロック部分７２は第２のレール３０の側壁５４に対して突出している。本実施形態では、スライドレールアセンブリ２２は第２の通路５５内で第２のレール３０に可動に取り付けられる摺動補助装置７４をさらに含む。摺動補助装置７４は保持ベース７６と、保持ベース７６に配置される複数の回転部材７８とを含む。複数の回転部材７８はボール又はローラーであり得る。摺動補助装置７４の保持ベース７６は第２の開口７９を有する。摺動補助装置７４がある位置に動かされると、第２の開口７９は第２のレール３０の第１の開口５９に対応する位置に位置する。
【００１９】
第３のレール３２（又は内側レールとも言う）は第２の通路５５内で第２のレール３０に可動に取り付けられる。具体的には、第３のレール３２は第１の壁部８０ａと、第２の壁部８０ｂと、第１の壁部８０ａ及び第２の壁部８０ｂの間に連結される側壁８２とを含む。第３のレール３２は開口８４と、開口８４に隣接する少なくとも１つのレール壁８６とを含むことが好ましい。本実施形態では、開口８４は第１の壁部８０ａに配置されている。加えて、第３のレール３２は互いに離間された複数の取り付け孔を有する。本実施形態では、第３のレール３２は第１の取り付け孔８８ａ、第２の取り付け孔８８ｂ及び第３の取り付け孔８８ｃを有する。取り付け孔８８ａ、８８ｂ、８８ｃは保持物体２０を取り付けるように構成されている。取り付け孔８８ａ、８８ｂ、８８ｃのうちの少なくとも１つは実質的にＬ字状又はＪ字状である。本実施形態では、取り付け孔８８ａ、８８ｂ、８８ｃは同一の形状を有するが、本発明はこの構成に限定されない。さらに、第３のレール３２は複数の伸長部位（extension  features）８９を含む。各伸長部位８９は対応する取り付け孔の垂直孔部８７及び長手孔部８５を定義し、垂直孔部８７は長手孔部８５と連通している。伸長部位８９は垂直孔部８７と長手孔部８５との間に位置する突起であり得る。
【００２０】
図６は第３のレール３２の側壁８２の一方側（例えば、内側又は第２のレール３０の方を向く側）を示す図である。図２と比べて、図６は第３のレール３２の第１の壁部８０ａ、第２の壁部８０ｂ及び取り付け孔８８ａ、８８ｂ、８８ｃを逆さまに示す。さらに、スライドレールアセンブリ２２は第３のレール３２に可動に取り付けられる第１の操作部品（operating  piece）９０をさらに含む。第１の操作部品９０は異なる動作状態になるように操作できる。本実施形態では、第１の操作部品９０は第３のレール３２に枢結される。スライドレールアセンブリ２２は第３のレール３２に取り付けられる支持ベース９２をさらに含む。支持ベース９２は、第１の操作部品９０を第１の動作状態で保持するために第１の操作部品９０の一端に弾性力を提供するように構成された第１の弾性部９３ａを含む。第１の操作部品９０は第１の操作ロッド９４を通じて操作することができるのが好ましい。第１の操作ロッド９４は実質的に第３のレール３２の長手方向に沿って配置される長手ロッド部を含む。第１の操作ロッド９４は、第１の操作部品９０を駆動して第１の動作状態でなくなるようにするために第１の操作部品９０の他端に対応する位置に位置する作動部９５をさらに含む。図６及び図６Ａに示すように、第３のレール３２の第１の壁部８０ａ及び第２の壁部８０ｂのうちの少なくとも一方は溝８１を備えることが好ましい。本実施形態では、第１の壁部８０ａ及び第２の壁部８０ｂの双方がそれぞれ溝８１を備える。各溝８１は側壁８２に隣接するが、本発明はこの構成に限定されない。
【００２１】
図６Ｂに示すように、第１の操作ロッド９４は第３のレール３２の第１の壁部８０ａの溝８１内に部分的に位置する一方側９４ａを有する。逆Ｌ字状の突起部８３は第３のレール３２の側壁８２に位置するとともに、第１の操作ロッド９４が公差（tolerance）又は変形により第３のレール３２の側壁８２の平面から離れて過度に傾斜するのを防止するために第１の操作ロッド９４の別の側９４ｂに当接するように構成されている。
【００２２】
図６に示すように、スライドレールアセンブリ２２は第３のレール３２に可動に、例えば枢動可能に取り付けられる第２の操作部品９１をさらに含む。支持ベース９２は、第２の操作部品９１を第１の動作状態で保持するために第２の操作部品９１の一端に弾性力を提供するように構成された第２の弾性部９３ｂをさらに含む。スライドレールアセンブリ２２は実質的に第３のレール３２の長手方向に沿って配置される長手ロッド部を有する第２の操作ロッド９７をさらに含むことが好ましい。第２の操作ロッド９７は第２の操作部品９１を駆動して第１の動作状態にないようにする、第２の操作部品９１に対応する駆動部７７を含む。第２の操作ロッド９７は第３のレール３２の溝８１に部分的に位置する少なくとも一方側を有する。本実施形態では、第２の操作ロッド９７は第３のレール３２の溝８１内に部分的に位置する２つの側９７ａ、９７ｂを有する（図７も参照のこと）。
【００２３】
図８に示すように、係合部材５８の伸長部６６は第２のレール３０の貫通孔５６を貫通し、弾性部材６２は、係合部材５８を第２のレール３０に対して第１の状態Ｓ１で保持するために第２のレール３０の係合部材５８と支持壁５７との間に配置される。さらに、スライドレールアセンブリ２２が引っ込められた状態にある場合、第２のレール３０は第１のレール２８に対して後退位置（retracted  position）にあり、第２のレール３０の後端６１は第１のレール２８の少なくとも１つのリアストッパ９６に対応する位置に位置する。他方、第３のレール３２も第２のレール３０に対して後退位置Ｒにある。係合部材５８は弾性部材６２により駆動されて第３のレール３２の第１の壁部３０ａ及び第２の壁部８０ｂの一方と当接する。例えば、係合部材５８は駆動されて第１の壁部８０ａと当接して弾性部材６２により第１の状態Ｓ１で保持され、弾性部材６２は弾性力を蓄積する。
【００２４】
図９に示すように、第３のレール３２が第２のレール３０に対して後退位置Ｒから第１の所定の位置Ｐ１に第１の方向Ｄ１に沿って動かされると、係合部材５８は第３のレール３２と係合するように構成されている。具体的には、第３のレール３２が第２のレール３０に対して第１の所定の位置Ｐ１に位置する場合、係合部材５８は、係合部材５８の係合部６４が第３のレール３２の開口８４に入り、係合部６４が少なくとも１つのレール壁８６に対応する位置に位置するように弾性部材６２により放出された弾性力に反応して第１の状態Ｓ１から第２の状態Ｓ２に回転する。
【００２５】
図１０、図１１及び図１２に示すように、係合部材５８が第３のレール３２と係合すると、第２のレール３０は第３のレール３２に駆動されて同期的に移動する。即ち、第２のレール３０及び第３のレール３２は第１のレール２８に対して第１の方向Ｄ１に沿って同期的に移動できる。第２のレール３０が第３のレール３２と第２の所定の位置Ｐ２に同期的に移動すると、第１のレール２８の解除部位３８は係合部材５８を第３のレール３２から外すように構成されている。具体的には、第２のレール３０が第３のレール３２と同期的に動かされるプロセスでは、係合部材５８の伸長部６６は解除部位３８の第２のガイド部４６、直線部４８、ブロック部５０及び第１のガイド部４４に沿って動かされる。具体的には、第２のレール３０が第１のレール２８に対して第２の所定の位置Ｐ２に移動するまで係合部材５８の伸長部６６が第２のガイド部４６、直線部４８及びブロック部５０を連続して通過すると、係合部材５８は第２の状態Ｓ２でなくなるように伸長部６６を通じて第１のガイド部４４にガイドされる。例えば、係合部材５８は、係合部材５８の係合部６４が第３のレール３２の開口８４から外れるように第２の状態Ｓ２から第１の状態Ｓ１に戻る（図１３も参照のこと）。係合部材５８が第３のレール３２から外れた後、第３のレール３２は第２のレール３０に対して第１の方向Ｄ１に沿って伸長位置Ｅに移動できる。
【００２６】
図１２及び図１４に示すように、第２のレール３０が第１のレール２８に対して第２の所定の位置Ｐ２から第３の所定の位置Ｐ３に第２の方向Ｄ２（第１の方向Ｄ１の逆）に動かされると、係合部材５８の伸長部６６は第２のレール３０が第１のレール２８に対して第２の方向Ｄ２に沿って動くのを防止するために解除部位３８のブロック部５０によってブロックされる（図１５も参照のこと）。
【００２７】
図１６及び図１７に示すように、係合部材５８の伸長部６６が解除部位３８のブロック部５０にブロックされて第３のレール３２が第２のレール３０に対して伸長位置Ｅから第２の方向Ｄ２に沿って動かされると、第３のレール３２は、係合部材５８の伸長部６６が解除部位３８のブロック部５０によってブロックされなくなるように係合部材５８を駆動するように構成されている。本実施形態では、第３のレール３２の第１の壁部８０ａは、伸長部６６を解除部位３８のブロック部５０から外して（図１８も参照のこと）第２のレール３０が第１のレール２８に対して第２の方向Ｄ２に沿って動くことができるように、係合部材５８を駆動して解除部６８を通じて回転するように構成されている。
【００２８】
図１９に示すように、摺動補助装置７４は第２のレール３０に対する第３のレール３２の動きの滑らかさを改善するために第２のレール３０と第３のレール３２との間に配置されている。保持ベース７６の複数の回転部材７８は第２のレール３０及び第３のレール３２と回転接触する。加えて、保持ベース７６は接触部９８を含む。第２のレール３０のブロック部位７０の接触部９８及びブロック部分７２は第２のレールの長手方向に沿って揃っていない。他方、第１の操作部品９０は第１の動作状態Ｗ１にある場合に保持ベース７６の接触部９８に対応する。
【００２９】
図２０に示すように、第２のレール３０と第３のレール３２との同期的な動きを終了するために係合部材５８が第３のレール３２から外されると（図１２も参照のこと）、第３のレール３２は第２のレール３０に対して第１の方向Ｄ１に沿ってさらに動かすことができる（図中、第１のレール２８、第２の操作部品９１及び第２の操作ロッド９７は省略）。第３のレール３２が第４の所定の位置Ｐ４に動かされると、第１の操作部品９０は、摺動補助装置７４を第３のレール３２と同期的に第１の方向Ｄ１に沿って動かす（図２１参照）か又は摺動補助装置７４を第３のレール３２と非同期的に第１の方向Ｄ１に沿って動かすことができるように第１の動作状態Ｗ１で保持ベース７６の接触部９８と当接する。摺動補助装置７４が第１の方向Ｄ１に沿って移動する方法はこれに限定されない。加えて、図２１に示すように、第３のレール３２の第１の壁部８０ａ及び第２の壁部８０ｂはそれぞれ保持ベース７６の複数の回転部材７８と接触する。
【００３０】
図２２に示すように、第３のレール３２が第２のレール３０に対して第１の方向Ｄ１に沿って伸長位置Ｅに動かされると、摺動補助装置７４は第１の操作部品９０に駆動されて第２のレール３０のブロック部位７０に隣接する位置に移動する。第１の操作部品９０は第３のレール３２が第２のレール３０に対して第１の方向Ｄ１に沿ってさらに動かすことができないようにブロック部位７０のブロック部分７２の第１の側に当接する。
【００３１】
図２３及び図２４に示すように、第３のレール３２を第２のレール３０から取り外すために、ユーザーは第１の方向Ｄ１に沿って力Ｆを第１の操作ロッド９４に加えて第１の操作部品９０を操作して第１の動作状態Ｗ１から第２の動作状態Ｗ２に切り替えることができる。そのため、第１の操作部品９０はブロック部位７０のブロック部分７２によってブロックされていない。したがって、第３のレール３２は第１の方向Ｄ１に沿って第２のレール３０から取り外すことができる。即ち、第３のレール３２は第２のレール３０に取り外し可能に連結されている。
【００３２】
図２５に示すように、本実施形態では、第３のレール３２が第２のレール３０に対して伸長位置Ｅに動かされた場合（図２５では第１のレール２８及び支持ベース９２を省略）、第２の操作部品９１は第１の動作状態Ｗ１にありブロック部位７０のブロック部分７２の第２の側に位置する。そのような状態では、第３のレール３２は第２のレール３０に対して第２の方向Ｄ２に沿って動かすことができない。
【００３３】
図２６に示すように、第３のレール３２が伸長位置Ｅに位置している場合に第３のレール３２を第２のレール３０に対して第２の方向Ｄ２沿って動かすために、ユーザーは第２の操作ロッド９７を通じて第２の操作部品９１を操作して第２の操作部品９１を第１の動作状態Ｗ１から第２の動作状態Ｗ２に切り替えることができる。そのため、第２の操作部品９１はブロック部位７０のブロック部分７２の第２の側に位置していない。したがって、第３のレール３２を第２のレール３０に対して伸長位置Ｅから第２の方向Ｄ２に沿って引っ込めることができる。
【００３４】
図２７に示すように、保持物体２０は第１の取り付け部９９ａ及び第２の取り付け部９９ｂ等の複数の取り付け部を含む。複数の取り付け部９９ａ、９９ｂは第３のレール３２の対応する取り付け孔８８ａ、８８ｂに取り付けることができる。さらに、本発明のスライドレールアセンブリ２２は保持物体２０を少なくとも２つの異なる取り付け方法で取り付けるように構成されている。
【００３５】
第１の取り付け方法では、第２のレール３０及び第３のレール３２が第１のレール２８に対して第１の方向Ｄ１に沿って動かされ、第３のレール３２が第２のレール３０に対して伸長位置Ｅに位置している場合、第１の開口５９と、第２の開口７９と、第３のレール３２の取り付け孔のうちの１つ（例えば第１の取り付け孔８８ａ）とはお互いに対応する位置にあるか又は互いに連通している（図２８も参照のこと）。したがって、ユーザーは保持物体２０を取って保持物体２０の第１の取り付け部９９ａを第１の取り付け孔８８ａの垂直孔部８７から長手孔部８５に入れることができる（図２９も参照のこと）。その後、第２の取り付け部９９ｂ等の他の取り付け部が第２の取り付け孔８８ｂに取り付けられる。そのため、第２のレール３０の第１の開口５９及び複数の取り付け孔８８ａ、８８ｂの垂直孔部８７は保持物体２０（シャーシ等）を取り付けるように構成されている。
【００３６】
図３０に示すように、第２の取り付け方法では、第３のレール３２を第２のレール３０から取り外した後、ユーザーは保持物体２０を取って取り付け部９９ａ、９９ｂを第３のレール３２の取り付け孔８８ａ、８８ｂに対応して取り付けることができる。その後、第３のレール３２を第２のレール３０に第２の方向Ｄ２に沿って取り付けることにより、保持物体２０をスライドレールアセンブリ２２に取り付けることができる。
【００３７】
したがって、本発明のスライドレールアセンブリ２２は次のような特徴を有する。
１）第３のレール３２が第２のレール３０に対して伸長位置Ｅに位置している場合、第３のレール３２の取り付け孔８８（Ｌ字又はＪ字状の孔等）、第２のレール３０の第１の開口５９及び摺動補助装置７４の第２の開口７９は、第３のレール３２を第２のレール３０から取り外すことなく保持物体２０をスライドレールアセンブリ２２に取り付けることができるか又は先ず保持物体２０を第３のレール３２に取り付けて、その後に第３のレール３２を第２のレール３０に取り付けることができるように第３のレール３２を第２のレール３０から取り外すことができるように互いに連通している。したがって、スライドレールアセンブリ２２は、限られた空間で様々な要件に従ってユーザーが簡便に保持物体２０を取り付け又は取り外しを行うことができるように保持物体２０を少なくとも２つの異なる取り付け方法で取り付けるように構成されている。
２）係合部材５８と第３のレール３２との係合を通じて、第２のレール３０及び第３のレール３２を第１の方向Ｄ１に沿って同期的に動かすことができる。係合部材５８の伸長部６６が解除部位３８のブロック部５０を通過した後、解除部位３８の第１のガイド部４４は第２のレール３０及び第３のレール３２の同期的な動きを終了するように構成されている。
【００３８】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３９】
２０  保持物体
２２  スライドレールアセンブリ
２４  ラック
２６ａ、２６ｂ  ポスト
２８  第１のレール
３０  第２のレール
３２  第３のレール
３４  第１のブラケット装置
３６  第２のブラケット装置
３８  解除部位
４０ａ、４０ｂ  壁部
４２  側壁
４４  第１のガイド部
４６  第２のガイド部
４８  直線部
５０  ブロック部
５２ａ、５２ｂ  壁部
５４  側壁
５６  貫通孔
５８  係合部材
５９  第１の開口
６０  枢動部材
６２  弾性部材
６４  係合部
６６  伸長部
６８  係合解除部
７０  ブロック部位
７２  ブロック部分
７４  摺動補助装置
７６  保持ベース
７８  回転部材
７９  第２の開口
８０ａ、８０ｂ  壁部
８２  側壁
８４  開口
８５  長手孔部
８６  レール壁
８７  垂直孔部
８８ａ、８８ｂ、８８ｃ  取り付け孔
９０  第１の操作部品
９２  支持ベース
９４  第１の操作ロッド
９６  リアストッパ
９８  接触部
９９ａ、９９ｂ  取り付け部
【図１】
2018057812.tif 000003
【図２】
2018057812.tif 000004
【図３】
2018057812.tif 000005
【図４】
2018057812.tif 000006
【図５】
2018057812.tif 000007
【図６】
2018057812.tif 000008
【図６Ａ】
2018057812.tif 000009
【図６Ｂ】
2018057812.tif 000010
【図７】
2018057812.tif 000011
【図８】
2018057812.tif 000012
【図９】
2018057812.tif 000013
【図１０】
2018057812.tif 000014
【図１１】
2018057812.tif 000015
【図１２】
2018057812.tif 000016
【図１３】
2018057812.tif 000017
【図１４】
2018057812.tif 000018
【図１５】
2018057812.tif 000019
【図１６】
2018057812.tif 000020
【図１７】
2018057812.tif 000021
【図１８】
2018057812.tif 000022
【図１９】
2018057812.tif 000023
【図２０】
2018057812.tif 000024
【図２１】
2018057812.tif 000025
【図２２】
2018057812.tif 000026
【図２３】
2018057812.tif 000027
【図２４】
2018057812.tif 000028
【図２５】
2018057812.tif 000029
【図２６】
2018057812.tif 000030
【図２７】
2018057812.tif 000031
【図２８】
2018057812.tif 000032
【図２９】
2018057812.tif 000033
【図３０】
2018057812.tif 000034